(57)【要約】建築物の外壁および内壁に取り付けられるプレハブパネルを容易に連結するための構造が開示される。当該構造は、それぞれが上端に凹部（１１）およびリブ（１２）を有するとともに、下方に隣接するパネルの凹部に係合すべき下方に屈曲する内側リブ（１３）を有する、内側プレハブパネル（１０）と、隣接パネル間の角に設けられているとともにそれぞれが対向するウイング部（２１）を有する角仕上げ部材（２０）と、内側に延出しているとともにそれぞれ爪部（２３）を有する内側リブ（２２）と、内側プレハブパネル（１０）に取り付けられる外側プレハブパネル（１０−２）と、隣接する外側パネル（１０−２）間に介在して配置されて内側パネル（１０）に外側パネル（１０−２）を取り付ける連結部材と、内側パネル（１０）の側部に設けられた側部仕上げ部材（４０）と、内側パネル（１０）の側部に設けられた上部仕上げ部材（４０）と、最上段の内側パネルに設けられた下部仕上げ部材（４０）と、最下段の内側パネルに設けられた下部仕上げ部材（６０）とを備える。
2005522609.tif 000002
【特許請求の範囲】
【請求項１】
建築構造用のプレハブパネル組立体であって、
水平方向に細長い矩形状のパネル本体、該パネル本体の長手方向に延びるとともに前方に開口する結合凹部を形成するよう前記パネル本体の上端に形成された上部屈曲部、前記パネル本体の上端から上方に張り出すとともにパネル本体の長手方向に延在する係合張出し部、および前記パネル本体の下端から後方に屈曲するとともに前記パネル本体の長手方向に延びる下部屈曲部をそれぞれが有するプレハブパネルであって、前記プレハブパネルのうち上側のプレハブパネルの前記下部屈曲部が前記隣接する前記プレハブパネルのうち下側のプレハブパネルの前記結合凹部に嵌まるように互いに連結しながら垂直方向に並ぶ、複数のプレハブパネルと、
建築構造のコーナー領域で互いに隣接して配置された前記プレハブパネルの向かい合う長手方向端部にそれぞれが仕上げを施すようになっているコーナー仕上げ部材と、
互いに隣接しながら長手方向に並ぶ前記プレハブパネルの向かい合う長手方向端部をそれぞれが連結して間に接続部を形成するようになっているパネル連結部材と、
建築構造の端部領域に配置された前記プレハブパネルの長手方向両端部にそれぞれが仕上げを施すようになっている長手方向端部仕上げ部材と、
前記プレハブパネルのうち最上段のプレハブパネルの上端にそれぞれが仕上げを施すようになっている上端仕上げ部材と、
前記プレハブパネルのうち最下段のプレハブパネルの下端にそれぞれが仕上げを施すようになっている下端仕上げ部材と、を備える、建築構造用のプレハブパネル組立体。
【請求項２】
前記プレハブパネルのそれぞれはさらに、前記パネル本体を補強するよう、前記プレハブパネルの前記パネル本体の後面から後方に張り出すとともに前記パネル本体の長手方向に延在する少なくとも１つの補強部を有する、請求項１記載のプレハブパネル組立体。
【請求項３】
前記コーナー仕上げ部材のそれぞれは、斜め本体部、該斜め本体部の両端から外側にそれぞれ水平方向および垂直方向に延びる一対の外側延出部、前記斜め本体部の両端から内側にそれぞれ垂直方向および水平方向に延びる一対の内側延出部、および該内側延出部から外側にそれぞれ突出した一対の外爪を有し、それによって、前記コーナー仕上げ部材は、前記外側延出部と連結する前記外爪との間にそれぞれ前記プレハブパネルの向かい合う長手方向端部が嵌まるようにして、前記プレハブパネルの向かい合う長手方向端部に連結するものである、請求項１記載のプレハブパネル組立体。
【請求項４】
前記パネル連結部材のそれぞれは、水平部分、および該水平部分の中心位置から一端が垂直方向に延びた垂直部分を有するＴ字形本体と、それぞれ前記垂直部分の両側に、前記Ｔ字形本体の前記垂直部分の他端から前記Ｔ字形本体の前記水平部分に向かって外側に傾斜して延びる一対の結合爪と、を有し、それによって、前記パネル連結部材は、それぞれ前記Ｔ字形本体の前記水平部分と対応する前記結合爪との間に、接続部を形成するプレハブパネルの向かい合う長手方向端部が嵌まるようにして、接続部を形成するプレハブパネルの向かい合う長手方向端部に連結される、請求項１記載のプレハブパネル組立体。
【請求項５】
前記長手方向端部仕上げ部材のそれぞれは、水平部分および垂直部分を有する逆Ｌ字形本体と、該逆Ｌ字形本体の前記垂直部分のほぼ中間位置から前記逆Ｌ字形本体の前記水平部分に向かって傾斜して延びる結合爪と、を有し、それによって、前記長手方向端部仕上げ部材は、前記逆Ｌ字形本体の水平部分と対応する前記結合爪との間に対応するプレハブパネルの長手方向端部が嵌まるようにして、対応するプレハブパネルの長手方向端部に連結される、請求項１記載のプレハブパネル組立体。
【請求項６】
前記上端仕上げ部材のそれぞれは、上部屈曲部および下部屈曲部を有するＳ字形本体と、前記上部屈曲部の外先端から内側に傾斜して延びる結合爪とを有し、それによって、前記上端仕上げ部材は、対応する最上段のプレハブパネルの上端で前記上端仕上げ部材の前記結合爪が前記対応する最上段のプレハブパネルの後面と係合し、かつ前記対応する最上段のプレハブパネルの前記結合凹部に前記下部屈曲部が嵌まるようにして、前記対応する最上段のプレハブパネルの上端に連結される、請求項１記載のプレハブパネル組立体。
【請求項７】
前記下端仕上げ部材のそれぞれは、前方に開口した結合凹部を画定する上部屈曲部を有する逆Ｓ字形本体、および該逆Ｓ字形本体の上端から上方に張り出した係合張出し部を有し、それによって、前記下端仕上げ部材は、対応する最下段のプレハブパネルの下部屈曲部が前記下端仕上げ部材の前記結合凹部に嵌まるようにして、前記対応する最下段のプレハブパネルの下端に連結される、請求項１記載のプレハブパネル組立体。
【請求項８】
前記複数のプレハブパネルのうち選択されたプレハブパネルの前記結合凹部にそれぞれが連結され、前記選択されたプレハブパネルに商品用の展示パネルを装着するようになっている展示パネル装着部材であって、該展示パネル装着部材のそれぞれが、該展示パネル装着部材と連結すべきプレハブパネルの、前記係合張出し部と係合するようになっているフック、前記展示パネルの端部が嵌まる嵌合部、および該嵌合部に嵌まった前記展示パネルの端部を支持する支持部を有する、展示パネル装着部材をさらに備える、請求項１記載のプレハブパネル組立体。
【請求項９】
建築構造用のプレハブパネル組立体であって、
垂直方向に延びたストリップ構造をそれぞれが有する、建築構造の壁に直に装着されるようになっている第１ブラケットであって、相互に垂直方向で均一に離間するように対になって配置された複数のフック、および該第１ブラケットの上端部および下端部のそれぞれに設けられたボルト孔を有する、第１ブラケットと、
垂直方向に延びる中空棒構造をそれぞれが有し、前記第１ブラケットのうち対応するブラケットにそれぞれ連結されるようになっている第２ブラケットであって、該第２ブラケットの後壁部に設けられているとともに相互に垂直方向で均一に離間するように対になって配置されている複数の係合孔であって、該係合孔の各対が対応する前記第１ブラケットの前記フックの対応する対と係合するようになっている複数の係合孔、および該第２ブラケットの前壁部に設けられるとともに相互に垂直方向で均一に離間している複数のフックを有する、第２ブラケットと、
パネル本体、該パネル本体の上端から延びるとともに後方かつ上方に屈曲する屈曲部、前記パネル本体の上端から上方に張り出すとともに前記屈曲部と協働して結合凹部を画定する第１係合張出し部、および前記屈曲部の下端から下方に張り出し、前記第２ブラケットのそれぞれの前記フックのうち対応するフックと係合するようになっており、それにより該プレハブパネルを前記第２ブラケットにより支持することが可能となっている、第２係合張出し部、および前記パネル本体の後面から前記パネル本体の下端付近に延びるとともに後方かつ下方に屈曲する下部屈曲部をそれぞれが有するプレハブパネルであって、垂直方向に並ぶとともに、互いに垂直方向に隣接する前記プレハブパネルのうち上方のプレハブパネルの下部屈曲部が前記隣接プレハブパネルのうち下方のプレハブパネルの前記結合凹部に嵌まるようにして互いに連結される、複数のプレハブパネルと、
を備える、建築構造用のプレハブパネル組立体。
【発明の詳細な説明】
【技術分野】
【０００１】
本発明は、建築構造の内壁や外壁に用いるプレハブパネル（prefabricated panels）の組立体に関し、特に、建築構造の内壁や外壁に取付けるプレハブパネルの連結を容易に行うことのできる建築構造用のプレハブパネル組立体と、組立体を構成する各プレハブパネルの上端、下端、および対向する長手方向の各端部に仕上げを施すことに関する。
【背景技術】
【０００２】
建築構造は、太陽光、雨および雪などの天候に曝露されるとともに長期間にわたって汚染にさらされるため、外壁が損傷したり汚損するおそれがある。そのような損傷や汚損を修繕すべく改装が行われる。
【０００３】
また、建築構造の内装として装飾パネルや機能パネルを建築構造の内壁に取付けて、損傷を修繕したり、商品を展示したり、内装を改装することが行われている。例えばそのようなパネルには、金属板やアルミニウム板を材質とする屈曲形態のプレハブパネルが用いられることがある。
【０００４】
長尺の矩形構造を有するそのようなパネルは、パネルの端部どうしを接触させて垂直方向に壁面に沿わせて積み重ねるようにして、釘などを使って固定される。
【０００５】
しかしながら、このようにして多数枚のパネルを壁面に固定するには、多くの釘を用いねばならないため、取付け作業に時間が掛かってしまう。また、そうした多数の釘打ちによるパネルの取付けを築年数の古い建築構造に行うと、建築構造を損傷させてしまうおそれがある。
【０００６】
さらに、築年数の古い建築構造の壁面にパネルを釘で固定すると、建築構造のコンクリートに通じる雨水の浸入経路が形成されてしまい、それがコンクリートを急速に劣化させる原因となってしまう。
【０００７】
一方、そのようなパネルは、運搬および作業性の便宜上、ある程度の長さと幅をもつものに制限されてしまう。したがって、これらのパネルは、建築構造に取り付けられる場合、長手方向における所定間隔で連結部を形成するように相互に端部どうしを重ね合わせるようにして取付けなければならない。さらに、これらのパネルには、建築構造のコーナー部（隅部）や上端や下端に仕上げを施すためのアクセサリーを持たない、という欠点がある。
【０００８】
韓国実用新案第０１３４６６７号には、上記目的で使用するための他のパネルの例が開示されている。この実用新案が開示するのは、屋根用の断熱パネルである。各断熱パネルは、その長手方向両端部に内部連結部および外部連結部を有するものであり、パネルどうしを一連に連結できるようになっている。また、各断熱パネルには、その上端および下端に、それぞれ一方の屈曲部が他方の屈曲部に対して嵌り合うサイズを有するようにして成形された内側屈曲部が設けられる。したがって、隣接する断熱パネルは、その対向端にそれぞれに設けられた屈曲部間の嵌め合い連結により連結できるものとなっている。しかしながら、これらの断熱パネルは金属板ではない材料を素材とするため、連結部の剛性が不十分で、連結部に外力が加わると、湾曲するかまたは相互に分離するおそれがある。
【０００９】
上述の構造は断熱パネルに適用することができるが、例えばアルミニウムまたは他の金属板からできている非断熱パネルには用いることができない。したがって、非断熱パネルでは、パネルに加わる外力に抗する強度が不十分であることに起因する欠点を排除することが不可能である。
【発明の開示】
【発明が解決しようとする課題】
【００１０】
本発明は、上記従来例が抱える上記諸問題を考慮して発明されたものであり、その目的は、相互に垂直方向で連結するための構造を各々有する複数のプレハブパネルと、プレハブパネルどうしを水平方向連結するためのパネル連結部材と、上端仕上げ部材及び下端仕上げ部材と、長手方向端部仕上げ部材と、コーナー部仕上げ部材とを含み、これによって建築構造の改装の際の利便性を向上させ、作業性を高め、そして雨水及び塵埃などの異物の内部への入り込みを防ぎ、さらには装飾効果を高めることができるプレハブパネル組立体を提供することにある。
【００１１】
本発明の別の目的は、それぞれが建築構造の壁に固定され、フックを設けたストリップ状（strip-shaped）の複数の第１ブラケットと、それぞれが複数の第１ブラケットのうちの対応するブラケットと連結されるようになっており、上記フックと個々に係合可能な係合孔及びプレハブパネルと個々に係合可能なフックとを設けた複数の第２ブラケットと、を含み、これによって建築構造の壁にプレハブパネルを容易にしっかりと取付けることが可能であり、このため構築コストを削減することができ、プレハブパネルどうしの重ね合わせ構造によって雨水および塵埃等の異物の内部への入り込みを防ぐことができるプレハブパネル組立体を提供することにある。
【課題を解決するための手段】
【００１２】
本発明は、その一態様によれば、水平方向に細長い矩形状のパネル本体と、該パネル本体の長手方向に延在するとともに前方に開口した結合凹部を形成するようパネル本体の上端に形成される上部屈曲部と、パネル本体の上端から上方に張り出すとともにパネル本体の長手方向に延在する係合張出し部と、パネル本体の下端から後方に屈曲するとともにパネル本体の長手方向に延在する下部屈曲部とを有する複数のプレハブパネルであって、
垂直方向で隣接するプレハブパネルのうち上側のプレハブパネルの下部屈曲部が下側のプレハブパネルの結合凹部に嵌まるようにして互いに連結されて垂直方向に並べて配置される複数のプレハブパネルと、
建築構造のコーナー領域で互いに隣接して配置されたプレハブパネルどうしの向かい合う長手方向における端部どうしをそれぞれ仕上げるコーナー仕上げ部材と、
長手方向に並ぶとともに互いに隣接して間に接続部を形成するプレハブパネルの向かい合う長手方向端部をそれぞれが連結するようになっているパネル連結部材と、
建築構造の端部領域に配置されたプレハブパネルの長手方向端部にそれぞれが仕上げを施すようになっている長手方向端部仕上げ部材と、
プレハブパネルのうち最上段のプレハブパネルの上端にそれぞれが仕上げを施すようになっている上端仕上げ部材と、
プレハブパネルのうち最下段のプレハブパネルの下端にそれぞれが仕上げを施すようになっている下端仕上げ部材と、を備える、建築構造用のプレハブパネル組立体を提供する。
【００１３】
別の態様によれば、本発明は、垂直方向に延びたストリップ構造をそれぞれが有する、建築構造の壁に直に装着されるようになっている第１ブラケットであって、相互に垂直方向で均一に離間するように対になって配置された複数のフック、および第１ブラケットの上端部および下端部のそれぞれに設けられたボルト孔を有する、第１ブラケットと、垂直方向に延びる中空棒構造をそれぞれが有する、第１ブラケットのうち対応するブラケットにそれぞれ連結されるようになっている第２ブラケットであって、該第２ブラケットの後壁部に設けられているとともに相互に垂直方向で均一に離間するように対になって配置されている複数の係合孔であって、該係合孔の各対が対応する第１ブラケットのフックの対応する対と係合するようになっている複数の係合孔、および第２ブラケットの前壁部に設けられるとともに相互に垂直方向で均一に離間している複数のフックを有する、第２ブラケットと、パネル本体、該パネル本体の上端から延びるとともに後方かつ上方に屈曲する屈曲部、パネル本体の上端から上方に張り出すとともに屈曲部と協働して結合凹部を形成する第１係合張出し部、および屈曲部の下端から下方に張り出し、第２ブラケットのそれぞれのフックのうち対応するフックと係合するようになっており、それによりプレハブパネルを第２ブラケットにより支持することが可能となっている、第２係合張出し部、およびパネル本体の後面からパネル本体の下端付近に延びるとともに後方かつ下方に屈曲する下部屈曲部を有するプレハブパネルであって、垂直方向に並ぶとともに、互いに垂直方向に隣接するプレハブパネルのうち上方のプレハブパネルの下部屈曲部が隣接プレハブパネルのうち下方のプレハブパネルの結合凹部に嵌まるようにして互いに連結される、プレハブパネルとを備える、建築構造用のプレハブパネル組立体を提供する。
【００１４】
本発明の上記の目的、ならびに他の特徴および利点は、図面とともに以下の詳細な説明によって、より明らかになるであろう。
【発明を実施するための最良の形態】
【００１５】
次に、本発明を本発明の各実施形態による構成とともに詳細に説明する。
【００１６】
図１は、本発明の一実施形態によるパネル組立体のプレハブパネルを示す斜視図である。図２は、図１の実施形態を変更した本発明の別の実施形態によるプレハブパネルの組立状態を示す断面図である。
【００１７】
図１および図２に示すように、参照符号１０で示す各プレハブパネルは、水平方向に細長い矩形状のパネル本体１５と、該パネル本体１５の長手方向に延在するとともに前方に開口する結合凹部１１を形成するようパネル本体１５の上端に形成された上部屈曲部と、パネル本体１５の上端から結合凹部１１へ所望の長さだけ上方に張出すとともにパネル本体１５の長手方向に延在する係合張出し部１２と、を有する。プレハブパネル１０は、パネル本体１５の下端から後方に屈曲するとともにパネル本体１５の長手方向に延在する下部屈曲部１３も有する。下部屈曲部１３は、結合凹部１１に嵌め合わせることのできるサイズを有している。この構造によれば、各プレハブパネル１０は、図１において参照符号１０−１を付して仮想線で描かれている他のプレハブパネルの結合凹部（符号１１−１で示されている）に、プレハブパネル１０の下部屈曲部１３を嵌め合わせることによって連結することができる。
【００１８】
プレハブパネル１０はまた、パネル本体１５が大きい場合、パネル本体１５を補強するために、パネル本体１５の後面から後方に張出すとともにパネル本体１５の長手方向に延在する少なくとも１つの補強部１６を有するものとして形成できる。図１に示す実施形態では、補強部１６を１つだけ設けているが、図２に示す実施形態では、複数の補強部１６を設けている。
【００１９】
図５ａは、コーナー仕上げ部材を示す断面図である。このコーナー仕上げ部材は、プレハブパネル１０が建築構造に取付けられたときに画定されるコーナー領域（図３に領域「Ａ」で示す）に仕上げを施すようになっている。図５ａで示すように、参照符号２０で示すコーナー仕上げ部材は、斜め本体部と、該斜め本体部の両端から外側へそれぞれ図中水平方向および垂直方向に延在する一対の外側延出部２１と、斜め本体部の両側から内側へそれぞれ図中垂直方向および水平方向に延びる一対の内側延出部２２と、各内側延出部２２から外側へそれぞれ突出した一対の外爪２３と、を有する。コーナー仕上げ部材２０は、外側延出部２１と各外側延出部２１と対峙する外爪２３との間に、それぞれプレハブパネル１０の対向端部を嵌め込むことによって、異方向から向かい合うプレハブパネル１０どうしの長手方向端部どうしが連結され、その端部どうしの間にコーナー領域を画定する。図５ｂは、図５ａのコーナー仕上げ部材から外側延出部２１が除かれた構造を有する角仕上げ部材を示す。この構造は、外側延出部２１は除かれているが、外爪２３と内側延出部２２の先端とでプレハブパネル１０を支持することができる。
【００２０】
図６は、パネル連結部材を示す断面図である。このパネル連結部材は、互いに隣接して配置されるとともに図３の「Ｂ」領域で示すように接続部を間に形成する２つのプレハブパネル、すなわちプレハブパネル１０とプレハブパネル１０−２との対向端部を連結するようになっている。図６に示すように、参照符号３０で示すパネル連結部材は、水平部分、および該水平部分の中心位置から一端が図中垂直方向に延びた垂直部分を有するＴ字形本体３１と、それぞれ垂直部分の両側に、Ｔ字形本体３１の垂直部分の先端からＴ字形本体３１の水平部分に向かって外側に傾斜して延びる一対の結合爪３２と、を有する。パネル連結部材３０は、それぞれＴ字形本体３１の水平部分と、Ｔ字形本体３１を境とする各水平部分と対応する結合爪３２と、の間に、プレハブパネル１０とプレハブパネル１０−２の対向端部を嵌めることによって、プレハブパネル１０とプレハブパネル１０−２の対向端に連結される。
【００２１】
図７は、長手方向端部仕上げ部材を示す断面図である。この長手方向端部仕上げ部材は、他のいずれのプレハブパネルとも対向していない端部領域（図３の領域「Ｃ」で示す）に露出しているプレハブパネル１０の長手方向端部に仕上げを施すようになっている。図７で示すように、参照符号４０の長手方向端部仕上げ部材は、水平部分および垂直部分を有する逆Ｌ字形本体４１と、逆Ｌ字形本体４１の垂直部分のほぼ中間位置から逆Ｌ字形本体４１の水平部分に向かって傾斜して延びる結合爪４２と、を有する。長手方向端部仕上げ部材４０は、端部領域に露出しているプレハブパネル１０の長手方向端部の周辺に嵌まる。
【００２２】
図８は、上端仕上げ部材を示す断面図である。この上端仕上げ部材は、図４の領域「Ｄ」で示すように、建築構造に取付けられた複数のプレハブパネル１０のうち、最上段のプレハブパネルの上端に仕上げを施すようになっている。図８で示すように、参照符号５０の上端仕上げ部材は、上部屈曲部５１および下部屈曲部１３−１を有するＳ字形本体と、上部屈曲部５１の外先端から内側に傾斜して延びた結合爪５２と、を有する。上端仕上げ部材５０は、結合爪５２を最上段のプレハブパネル１０の上端の後面に対して係合させるとともに、下部屈曲部１３−１を該プレハブパネル１０の結合凹部１１に対して嵌めることによって、当該最上段のプレハブパネル１０の上端に連結される。
【００２３】
図９は、下端仕上げ部材を示す断面図である。この下端仕上げ部材は、図４の領域「Ｅ」で示すように、建築構造に取付けられたプレハブパネル１０のうち、最下段のプレハブパネルの下端に仕上げを施すようになっている。図９に示すように、参照符号６０の下端仕上げ部材は、前方に開口した結合凹部１１−１を形成する上部屈曲部を有する逆Ｓ字形本体１５−１と、該逆Ｓ字形本体１５−１の上端から結合凹部１１−１へ所望の長さだけ上方に張り出した係合張出し部１２−１と、を有する。下端仕上げ部材６０の下端は後方に屈曲している。下端仕上げ部材６０は、結合凹部１１−１が最下段のプレハブパネル１０の下部屈曲部１３に対して嵌まることによって、最下段のプレハブパネル１０の下端に連結される。
【００２４】
本発明のプレハブパネルは、建築構造の外壁だけでなく、建築構造の内壁にも用いることができる。特に、プレハブパネルが建築構造の内壁に用いられる場合、プレハブパネルに連結される展示パネル装着部材の断面図を示す図１０ａで示すように、選択されたプレハブパネルに商品用の展示パネル７１を装着するために、展示パネル装着部材７０を、複数のプレハブパネルのうち選択したプレハブパネルの結合凹部１１に連結することができる。
【００２５】
図１０ａに示すように、展示パネル装着部材７０は、展示パネル装着部材７０と連結すべきプレハブパネル１０の係合張出し部１２と係合するようになっているフック７２、展示パネル７１の端部が嵌まり込む嵌合部７３、および嵌合部７３に嵌まった展示パネル７１の端部を支持する支持部７４を有する。この構造によれば、展示パネル装着部材７０は、展示パネル７１上に商品を展示するために、プレハブパネル１０に展示パネル７１を装着することができる。
【００２６】
一方、キャビネットまたはハンガーにそれぞれが装着されるようになっているとともに、選択されたプレハブパネル１０の係合張出し部１２に対して係合するフック部材を用いて、プレハブパネル１０にキャビネットまたは種々のハンガーを取り付けることができる。図１０ｂは、選択されたプレハブパネル１０にキャビネット８０を装着した例を示している。
【００２７】
図１１は、本発明の別の実施形態によるプレハブパネル組立体を示す分解斜視図である。図１２は、図１２の実施形態を変更した本発明の別の実施形態によるプレハブパネル組立体を部分的に切り欠いて示す組立斜視図である。図１３ａ〜図１３ｊは、図１１に示されたパネル組立体、またはプレハブパネルが、各種のパネル本体形状をそれぞれ有するように変更した他のパネル組立体を有する各種パネル組立体の使用を示す断面図である。
【００２８】
基本的に、図１１、図１２、および図１３ａ〜図１３ｊに示すパネル組立体のそれぞれは、建築構造の壁１００に対して直に取付ける第１ブラケット１１０を有する。第１ブラケット１１０は、垂直方向に延びるストリップ構造を有するとともに、垂直方向で相互に均一に離間するように対になって配置された複数のフック１１１が設けられている。各第１ブラケット１１０の上端部および下端部にはボルト孔１１２が設けられている。パネル組立体はまた、複数の第１ブラケット１１０のうちの対応するブラケットにそれぞれが連結されるようになっている第２ブラケット１２０も有する。各第２ブラケット１２０は、垂直方向に延びる中空棒構造を有するとともに、垂直方向で相互に均一に離間するように対になって配置された複数の係合孔１２１が後壁部に設けられている。係合孔１２１の各対は、第１ブラケット１１０の対応するフック１１１の対と係合するようになっている。各第２ブラケット１２０にも、その前壁部に、垂直方向で相互に均一に離間する複数のフック１２２が設けられている。パネル組立体に含まれるプレハブパネルのそれぞれは、パネル本体１５、該パネル本体１５の上端から延びるとともに後方かつ上方に屈曲する上部屈曲部、パネル本体１５の上端から上方に張り出すとともに上部屈曲部と協働して結合凹部１１を形成する第１の係合張出し部１２、および屈曲部の下端から下方に張り出しており、第２ブラケット１２０のフック１２２のうち対応するフックと係合するようになっている第２の係合張出し部１９を有する。各プレハブパネルはまた、パネル本体１５の後面からパネル本体１５の下端付近に延びるとともに後方かつ下方に屈曲する下部屈曲部１３を有する。図１１で示すように、プレハブパネルは垂直方向に並ぶとともに、上側のプレハブパネル１０の下部屈曲部１３が下側のプレハブパネル１０−１の結合凹部１１に嵌まるようにして互いに連結される。第２のブラケット１２０は省略することができる。この場合は、第２の係合張出し部１９を、第１のブラケット１１０の対応するフック１１１と係合させるようにする。
【００２９】
図中、参照符号８０はキャビネットを示し、参照符号１００は建築物壁を示し、参照符号１０１は中間ブラケットを示し、参照符号１０２は釘を示す。
【００３０】
次に、本発明の各実施形態によるパネル組立体の構成要素を組み立てる手順について、図面を参照しながら詳細に説明する。
【００３１】
図２は、本発明の一実施形態によるパネル組立体に含まれるプレハブパネルの組立状態を示す断面図である。図３は、パネル組立体の応用形態を示す断面図である。図４は、パネル組立体の別の応用形態を示す断面図である。
【００３２】
本発明のパネル組立体は、古い建築構造の保護および修繕のために古い建築構造を改装することが望まれる場合に、端と端とを当接するようにして外壁に沿って垂直方向にスタックした状態で、建築構造の外壁にパネル組立体のプレハブパネル１０を取り付けることで用いられることができる。
【００３３】
すなわち、図２に示すように、１つのプレハブパネル１０は、まず外壁の下端部に取り付けられ、次に結合凹部１１において壁下端部に釘打ちされて、外壁にしっかりと固定される。プレハブパネル１０は図２の場合では中間ブラケット１０１に釘打ちされるが、便宜上、以下の説明では、建築構造の外壁に釘打ちされるものとして説明される。
【００３４】
その後、別のプレハブパネル１０が、固定された下側のプレハブパネル１０の上に、端と端とが当接するようにしてスタックされる。このとき、上側のプレハブパネル１０と下側のプレハブパネル１０との連結は、上側のプレハブパネル１０の下部屈曲部１３を下側のプレハブパネル１０の結合凹部１１に差込み、次に、下部屈曲部１３の下端が結合凹部１１の底部に接触するまで結合凹部１１に沿って下部屈曲部１３を下方に押すことで達成される。この状態では、上側のプレハブパネル１０の下部屈曲部１３は、下端が下側のプレハブパネル１０の係合張出し部１２と係合した状態で、下方プレハブパネル１０の結合凹部１１にしっかり嵌まる。
【００３５】
このようにして、複数のプレハブパネルを、建築構造の壁部全体を覆うのに垂直方向に組み立てることができる。
【００３６】
しかしながら、プレハブパネルは、製造、運搬、保管、および作業性の便宜上、長さが制限されている。この理由から、プレハブパネルは、建築構造の壁部全体を覆うのに長手方向にも組み立てられなくてはならない。この場合、長手方向に隣接するプレハブパネル、例えばプレハブパネル１０および１０−２は、図６のパネル連結部材３０により連結される。
【００３７】
図６に示されるように、Ｔ字形構造を有するパネル連結部材３０は、長手方向に隣接するプレハブパネル１０とプレハブパネル１０−２の向かい合う長手方向端部間に介在して配置され、Ｔ字形本体３１の水平部分と結合爪３２との間にそれぞれプレハブパネル１０とプレハブパネル１０−２の向かい合う長手方向端部を強制的に嵌めることによって、プレハブパネル１０とプレハブパネル１０−２の向かい合う長手方向端部に連結されるとともに、向かい合う長手方向端部の接続部をＴ字形本体３１の水平部分で覆う。
【００３８】
したがって、雨水または塵埃等の異物が接続部に侵入することを防止するとともに、申し分のない装飾仕上げを提供することができる。
【００３９】
その一方で、図５ａまたは５ｂに示したコーナー仕上げ部材２０が、建築構造の前壁部と側壁部が連結されるコーナーに用いられる。
【００４０】
すなわち、図５ａの場合、コーナー仕上げ部材２０は、それぞれ外側延出部２１と外爪２３との間に、プレハブパネル１０の向かい合う長手方向端部を強制的に嵌めることによって、プレハブパネル１０の向かい合う長手方向端部に連結され、その間にコーナー領域を形成するとともに、向かい合う長手方向端部間に形成されたスペースを覆う。したがって、異物が接続部に侵入することを防止するとともに、申し分のない装飾仕上げを提供することができる。外側延出部２１がない図５ｂの場合では、外爪２３と内側突出部２２の先端とでプレハブパネル１０を支持することができる。
【００４１】
端部領域で露出しているプレハブパネル１０の長手方向端部に仕上げを施すことを望む場合、図７の、逆Ｌ字形構造を有する長手方向端部仕上げ部材４０が用いられる。長手方向端部仕上げ部材４０は、Ｌ字形本体４１の水平部分と結合爪４２との間にプレハブパネル１０の長手方向端部を嵌めることによって、端部領域で露出しているプレハブパネル１０の長手方向端部に連結される。したがって、プレハブパネル１０の長手方向端部は、長手方向端部仕上げ部材４０で覆われる。
【００４２】
建築構造に取り付けられたプレハブパネル１０のうち最上段のプレハブパネルの上端に仕上げを施すことを望む場合、図８で示すＳ字形構造を有する上端仕上げ部材が用いられる。上端仕上げ部材５０が、最上段のプレハブパネル１０の結合凹部１１に下部屈曲部１３−１を嵌めるとともに最上段のプレハブパネル１０の上端でそのプレハブパネル１０の後面に対して結合爪５２を係合させることによって、最上段のプレハブパネル１０の上端に連結される。
【００４３】
したがって、プレハブパネル１０の上端は上端仕上げ部材５０で覆われるため、スマートに仕上げられる。
【００４４】
建築構造壁の下端部に仕上げを施す場合、まず図９の下端仕上げ部材６０を壁下端部に取り付けることが望ましい。
【００４５】
すなわち、下端仕上げ部材６０の下端部の結合凹部１１−１が、まず釘により建築構造壁に固定される。その後、プレハブパネル１０の下部屈曲部１３が下端仕上げ部材６０の結合凹部１１−１に嵌められる。よって、プレハブパネル１０が下端仕上げ部材６０に連結される。下端仕上げ部材６０は幅が狭いため、固定手段により十分な固定が維持される。また、下端仕上げ部材６０は、その本体１５−１で建築構造壁の下端部を覆うため、装飾仕上げを与える。
【００４６】
本発明のプレハブパネルは、建築構造の外壁だけでなく、建築構造の内壁にも用いることができる。特に、プレハブパネルが建築構造の内壁に用いられる場合、展示パネル装着部材７０がプレハブパネルのうち選択されたプレハブパネルの結合凹部１１に連結されて、選択されたプレハブパネルに商品用の展示パネルまたは装飾キャビネットを装着するようにしてもよい。
【００４７】
上述のように、展示パネル装着部材７０は、該展示パネル装着部材７０に連結すべきプレハブパネル１０の係合張出し部１２と係合するようになっているフック７２、展示パネル７１の端部が嵌まる嵌合部７３、および該嵌合部７３に嵌まる展示パネル７１の端部を支持する支持部７４を有する。この構造によれば、展示パネル装着部材７０は、フック７２を係合張出し部１２と単に係合させることによって、かつ係合張出し部１２からフック７２を単に外すことによって、プレハブパネル１０に対する連結および分離ができるという点で便利に用いることができる。また、展示パネル装着部材７０は、幅の広い展示パネルを支持することができるという点で商品に対する展示効果を高めることができる。
【００４８】
図１１または図１２のパネル組立体も使用することができる。上述のように、図１１は、図１のプレハブパネルとは異なる、本発明の実施形態によるプレハブパネルの組立体を示す分解斜視図である。図１２は、図１１の実施形態を変更した本発明の実施形態によるプレハブパネルの組立体を示す、部分的に切り欠かれた組立斜視図である。図１１または図１２のいずれの場合も、各第１ブラケット１１０は、まず第１ブラケット１１０の上端部および下端部のそれぞれに設けられたボルト孔１１２により建築構造の壁１００に装着される。上述したように、第１ブラケット１１０は、垂直方向で均一に互いと離間するように対になって配置されたフック１１１を有する。次に、各第２ブラケット１２０は、係合孔１２１の各対を、対応する第１ブラケット１１０のフック１１１の対と係合させることによって、対応する第１ブラケット１１０に連結される。上述したように、各第２ブラケット１２０は、その前壁部に、垂直方向に均一に互いに離間したフック１２２が設けられている。
【００４９】
プレハブパネルは、第２ブラケット１２０の各フック１２２に連結される。各プレハブパネルは、パネル本体１５、該パネル本体１５の上端から上方に張り出している、上方に張り出した第１係合張出し部１２、および下方に張り出した第２係合張出し部１９を有することができる。プレハブパネルの第２係合張出し部１９は、第２ブラケット１２０のフック１２２のうち対応するフックと係合する。そのようにして、プレハブパネルは、プレハブパネルが垂直方向に並ぶように第２ブラケット１２０に順次に連結される。したがって、プレハブパネルは、建築構造の外壁または内壁を装飾的に覆う。
【００５０】
プレハブパネルは、建築構造壁に取り付けられることができるとともに、第１ブラケット１１０および第２ブラケット１２０の使用により、ある一定の距離だけ建築物壁から離間される。当然のことながら、プレハブパネルの取り付けは、第２ブラケット１２０がなくて済む状態で行うことができる。この場合、各プレハブパネルと建築構造壁の間のスペースを最小にすることができる。
【００５１】
こうして、第１ブラケットと第２ブラケットの双方を使用することができ、またはそれらのうち選択した一方を使用することができる。
【産業上の利用可能性】
【００５２】
上記の説明から明らかなように、本発明は、垂直方向にプレハブパネルを連結する構造をそれぞれ有するプレハブパネルと、該プレハブパネルを横方向に連結するパネル連結部材と、上端仕上げ部材および下端仕上げ部材と、長手方向端部仕上げ部材と、コーナー仕上げ部材とを備え、それによって、建築構造の改装の際に、利便性を向上させ、作業性を高めることが可能であるプレハブパネルの組立体を提供する。本発明によれば、プレハブパネルと仕上げ部材をしっかり連結することで、雨水および塵埃等の異物の侵入を防止するとともに装飾効果を高めることができる。したがって、本発明は、古い建築構造の効果的な改装を達成するとともに、建築構造の外壁および内壁に申し分のない装飾壁を提供することができる。便宜的に、商品用の展示パネルを取り付けることも可能である。
【００５３】
本発明はまた、ボルトにより壁にそれぞれが固定されるようになっているとともに、フックが設けられているストリップ状の第１ブラケットと、該第１ブラケットのうち対応するブラケットにそれぞれが連結されるようになっているとともに、フックとそれぞれ係合可能な係合孔およびプレハブパネルとそれぞれ係合可能なフックが設けられている第２ブラケットとを備える、プレハブパネル組立体を提供する。このプレハブパネル組立体によれば、建築構造壁にプレハブパネルを容易にしっかりと取り付けることができるとともに、雨水および塵埃等の異物の浸入を防止することができる。
【００５４】
本発明の好適な実施形態を例示目的で開示してきたが、当業者は、添付の特許請求項に開示されている本発明の範囲および精神から逸脱することなく、種々の変更、追加、および置換が可能であることを理解するであろう。
【図面の簡単な説明】
【００５５】
【図１】本発明の一実施形態によるパネル組立体のプレハブパネルを示す斜視図である。
【図２】図１の実施形態を変更した本発明の別の実施形態によるプレハブパネルの組立状態を示す断面図である。
【図３】パネル組立体の応用形態を示す断面図である。
【図４】パネル組立体の別の応用形態を示す断面図である。
【図５ａ】図３の領域「Ａ」に用いるコーナー仕上げ部材を示す断面図である。
【図５ｂ】図５ａのコーナー仕上げ部材を変更したコーナー仕上げ部材の断面図である。
【図６】図３の領域「Ｂ」で用いるパネル連結部材を示す断面図である。
【図７】図３の領域「Ｃ」で用いる長手方向端部仕上げ部材を示す断面図である。
【図８】図４の領域「Ｄ」で用いる上端仕上げ部材を示す断面図である。
【図９】図４の領域「Ｅ」で用いる下端仕上げ部材を示す断面図である。
【図１０ａ】本発明によるプレハブパネルに連結する展示パネル装着部材を示す断面図である。
【図１０ｂ】本発明によるプレハブパネルに装着するキャビネットを示す断面図である。
【図１１】本発明の別の実施形態によるプレハブパネルの組立体を示す分解斜視図である。
【図１２】図１１の実施形態を変更した本発明の別の実施形態によるプレハブパネルの組立体を示す、部分的に切り欠かれた組立斜視図である。
【図１３ａ】図１１に示したパネル組立体を有する各種パネル組立体のうちの１つのパネル組立体、またはそれらのプレハブパネルがそれぞれ各種パネル本体形状のうちの１つを有するように図１１のパネル組立体を変更した他のパネル組立体の使用を示す断面図である。
【図１３ｂ】図１１に示したパネル組立体を有する各種パネル組立体のうちの１つのパネル組立体、またはそれらのプレハブパネルがそれぞれ各種パネル本体形状のうちの１つを有するように図１１のパネル組立体を変更した他のパネル組立体の使用を示す断面図である。
【図１３ｃ】図１１に示したパネル組立体を有する各種パネル組立体のうちの１つのパネル組立体、またはそれらのプレハブパネルがそれぞれ各種パネル本体形状のうちの１つを有するように図１１のパネル組立体を変更した他のパネル組立体の使用を示す断面図である。
【図１３ｄ】図１１に示したパネル組立体を有する各種パネル組立体のうちの１つのパネル組立体、またはそれらのプレハブパネルがそれぞれ各種パネル本体形状のうちの１つを有するように図１１のパネル組立体を変更した他のパネル組立体の使用を示す断面図である。
【図１３ｅ】図１１に示したパネル組立体を有する各種パネル組立体のうち１つのパネル組立体、またはそれらのプレハブパネルがそれぞれ各種パネル本体形状のうち１つを有するように図１１のパネル組立体を変更した他のパネル組立体の使用を示す断面図である。
【図１３ｆ】図１１に示したパネル組立体を有する各種パネル組立体のうち１つのパネル組立体、またはそれらのプレハブパネルがそれぞれ各種パネル本体形状のうち１つを有するように図１１のパネル組立体を変更した他のパネル組立体の使用を示す断面図である。
【図１３ｇ】図１１に示したパネル組立体を有する各種パネル組立体のうち１つのパネル組立体、またはそれらのプレハブパネルがそれぞれ各種パネル本体形状のうち１つを有するように図１１のパネル組立体を変更した他のパネル組立体の使用を示す断面図である。
【図１３ｈ】図１１に示したパネル組立体を有する各種パネル組立体のうち１つのパネル組立体、またはそれらのプレハブパネルがそれぞれ各種パネル本体形状のうち１つを有するように図１１のパネル組立体を変更した他のパネル組立体の使用を示す断面図である。
【図１３ｉ】図１１に示したパネル組立体を有する各種パネル組立体のうち１つのパネル組立体、またはそれらのプレハブパネルがそれぞれ各種パネル本体形状のうち１つを有するように図１１のパネル組立体を変更した他のパネル組立体の使用を示す断面図である。
【図１３ｊ】図１１に示したパネル組立体を有する各種パネル組立体のうち１つのパネル組立体、またはそれらのプレハブパネルがそれぞれ各種パネル本体形状のうち１つを有するように図１１のパネル組立体を変更した他のパネル組立体の使用を示す断面図である。
【図１】
2005522609.tif 000003
【図２】
2005522609.tif 000004
【図３】
2005522609.tif 000005
【図４】
2005522609.tif 000006
【図５ａ】
2005522609.tif 000007
【図５ｂ】
2005522609.tif 000008
【図６】
2005522609.tif 000009
【図７】
2005522609.tif 000010
【図８】
2005522609.tif 000011
【図９】
2005522609.tif 000012
【図１０ａ】
2005522609.tif 000013
【図１０ｂ】
2005522609.tif 000014
【図１１】
2005522609.tif 000015
【図１２】
2005522609.tif 000016
【図１３ａ】
2005522609.tif 000017
【図１３ｂ】
2005522609.tif 000018
【図１３ｃ】
2005522609.tif 000019
【図１３ｄ】
2005522609.tif 000020
【図１３ｅ】
2005522609.tif 000021
【図１３ｆ】
2005522609.tif 000022
【図１３ｇ】
2005522609.tif 000023
【図１３ｈ】
2005522609.tif 000024
【図１３ｉ】
2005522609.tif 000025
【図１３ｊ】
2005522609.tif 000026
【国際調査報告】
2005522609.tif 000027